(57)【要約】【課題】受信側において確実に同期を確立するとともに受信品質の劣化を防止し、異なるビットレートの信号を混在させて伝送すること。【解決手段】出力制御部１０２は、ビットレートＡのデータをヘッダ付加部１０４へ出力し、ビットレートＢのデータをヘッダ付加部１０５へ出力する。ビットレート指示部１０３は、ヘッダ付加部１０４またはヘッダ付加部１０５に対して、最小のビットレートであるビットレートＡのヘッダを付加するように指示する。ヘッダ付加部１０４は、データの宛先のＯＮＵ３００のＩＤとデータ長とを格納するビットレートＡのヘッダを生成し、ビットレートＡのデータに付加する。ヘッダ付加部１０５は、データの宛先のＯＮＵ３００のＩＤとデータ長とを格納するビットレートＡのヘッダを生成し、ビットレートＢのデータに付加する。【選択図】        図２
2008263450.tif 000002
【特許請求の範囲】
【請求項１】
第１のビットレートおよび前記第１のビットレートより大きい第２のビットレートのデータを伝送する光伝送装置であって、
前記第１のビットレートを有するデータに宛先を識別する識別情報を含む前記第１のビットレートのヘッダを付加する第１付加手段と、
前記第２のビットレートを有するデータに宛先を識別する識別情報を含む前記第１のビットレートのヘッダを付加する第２付加手段と、
前記第１付加手段または前記第２付加手段によって前記第１のビットレートのヘッダが付加されたデータを送信する送信手段と
を有することを特徴とする光伝送装置。
【請求項２】
前記第２のビットレートのデータに所定の周期で前記第１のビットレートの既知ビットパターンを挿入する挿入手段をさらに有することを特徴とする請求項１記載の光伝送装置。
【請求項３】
前記第２付加手段は、
前記第２のビットレートのデータにこのデータの宛先を一意に識別する識別情報を含む前記第２のビットレートの個別ヘッダを付加する個別ヘッダ付加手段と、
前記個別ヘッダ付加手段によってそれぞれ個別ヘッダが付加された複数のデータにこれらのデータが前記第２のビットレートのデータであることを示す共通ヘッダを付加する共通ヘッダ付加手段と
を含むことを特徴とする請求項１記載の光伝送装置。
【請求項４】
前記第２のビットレートのデータを前記第１のビットレートの整数倍の第３のビットレートのデータに変換する変換手段をさらに有し、
前記第２付加手段は、
前記第３のビットレートのデータにこのデータの宛先を識別する識別情報を含む前記第１のビットレートのヘッダを付加することを特徴とする請求項１記載の光伝送装置。
【請求項５】
前記第１付加手段は、
前記第１のビットレートのヘッダに前記第１のビットレートのデータの長さを示す情報を含め、
前記第２付加手段は、
前記第１のビットレートのヘッダに前記第２のビットレートのデータの長さを示す情報を含めることを特徴とする請求項１記載の光伝送装置。
【請求項６】
前記送信手段は、
前記第１付加手段によってヘッダが付加されたデータと前記第２付加手段によってヘッダが付加されたデータとを時分割多重してフレームを生成する生成手段を含むことを特徴とする請求項１記載の光伝送装置。
【請求項７】
前記生成手段は、
前記第１のビットレートのデータまたは前記第２のビットレートのデータのフレーム内での位置を示すフレームヘッダを先頭に含むフレームを生成することを特徴とする請求項６記載の光伝送装置。
【請求項８】
ビットレートが異なる複数のデータを含む信号を受信する光伝送装置であって、
受信信号からクロック信号を抽出するクロック信号抽出手段と、
前記クロック信号抽出手段によって抽出されたクロック信号を分周して前記複数のデータのビットレートのうち最小のビットレートに対応する低速クロック信号を得る分周手段と、
前記分周手段によって得られた低速クロック信号を用いて受信信号に含まれる最小のビットレートのヘッダを抽出するヘッダ抽出手段と、
前記ヘッダ抽出手段によって抽出されたヘッダを参照して自装置宛てのデータを取得する取得手段と
を有することを特徴とする光伝送装置。
【請求項９】
第１のビットレートおよび前記第１のビットレートより大きい第２のビットレートのデータを伝送する光伝送方法であって、
前記第１のビットレートを有するデータに宛先を識別する識別情報を含む前記第１のビットレートのヘッダを付加する第１付加工程と、
前記第２のビットレートを有するデータに宛先を識別する識別情報を含む前記第１のビットレートのヘッダを付加する第２付加工程と、
前記第１付加工程または前記第２付加工程にて前記第１のビットレートのヘッダが付加されたデータを送信する送信工程と
を有することを特徴とする光伝送方法。
【請求項１０】
ビットレートが異なる複数のデータを含む信号を受信する光伝送方法であって、
受信信号からクロック信号を抽出するクロック信号抽出工程と、
前記クロック信号抽出工程にて抽出されたクロック信号を分周して前記複数のデータのビットレートのうち最小のビットレートに対応する低速クロック信号を得る分周工程と、
前記分周工程にて得られた低速クロック信号を用いて受信信号に含まれる最小のビットレートのヘッダを抽出するヘッダ抽出工程と、
前記ヘッダ抽出工程にて抽出されたヘッダを参照してこのヘッダに対応するデータの宛先を識別する識別工程と
を有することを特徴とする光伝送方法。
【発明の詳細な説明】
【技術分野】
【０００１】
本発明は、光伝送装置および光伝送方法に関し、特に、受信側において確実に同期を確立するとともに受信品質の劣化を防止し、異なるビットレートの信号を混在させて伝送することができる光伝送装置および光伝送方法に関する。
【背景技術】
【０００２】
近年、高速かつ大容量のデータ伝送を可能とする通信システムとして、光ファイバを用いた光伝送システムが注目されている。光伝送システムは、局側装置であるＯＬＴ（Optical Line Terminal）と加入者側装置である複数のＯＮＵ（Optical Network Unit）とが光ファイバによって接続されて構成される。
【０００３】
このような光伝送システムにおいては、ＯＬＴからＯＮＵへ向かう下り方向のフレーム構成の標準化が進められている。すなわち、例えば非特許文献１に記載されたように、ＩＴＵ−Ｔ（International Telecommunication Union-Telecommunication Standardization Sector）によるＧ．９８４．３においては、フレームのヘッダ部分に相当するＰＣＢｄ（Physical Control Block downstream）に続いてＡＴＭ（Asynchronous Transfer Mode）セルやＧＥＭ（G-PON Encapsulation Mode）領域などを含むデータ部分が設けられている。また、例えば非特許文献２に記載されたように、ＩＥＥＥ（The Institute of Electrical and Electronics Engineers, Inc.）による８０２．３においては、ＭＰＣＰ（Multi-Point Control Protocol）フレームがプリアンブルや宛先アドレスを含むヘッダ部分と可変長のデータを含むデータ部分とを有している。
【０００４】
そして、このようなフレームに格納されるデータは、それぞれのデータに対応する宛先のＯＮＵへ伝送される。すなわち、例えばＩＴＵ−ＴのＧ．９８４．３におけるフレームに関しては、１フレーム中に複数のＯＮＵ宛てのデータが含まれるため、ＡＴＭセルやＧＥＭ領域に付加されたヘッダにそれぞれのデータの宛先が格納されている。具体的には、ＡＴＭセルのヘッダのＶＰＩ（Virtual Path Identifier）やＧＥＭ領域のヘッダのポートＩＤ（Port ID）にデータの宛先となるＯＮＵの識別子が格納されており、ＯＮＵは、それぞれのヘッダに格納された識別子によって自装置宛てのデータを識別する。
【０００５】
また、例えばＩＥＥＥの８０２．３におけるＭＰＣＰフレームに関しては、１フレーム中に１つのＯＮＵ宛てのデータが含まれるため、ＭＰＣＰフレームのヘッダ部分にデータの宛先が格納されている。具体的には、ヘッダ部分のプリアンブルに格納されたＬＬＩＤ（Logical Link Identifier）によってＯＮＵが識別され、ＯＮＵは、自装置宛のＭＰＣＰフレームを識別して受信する。
【０００６】
ところで、これらの標準化された仕様においては、フレームのビットレートについては何も考慮されていない。換言すれば、すべてのＯＮＵが同一のビットレートの信号を送受信することを前提として伝送が行われており、ＯＮＵが受信可能な信号のビットレートが多様である場合には、１つのＯＬＴから複数のＯＮＵへ信号を送信することは困難である。
【０００７】
そこで、例えば特許文献１に開示された技術においては、ＯＬＴは、フレームに含まれる各々のサブフレームに関する速度情報と位相情報とをフレームのヘッダ部分に格納し、ＯＮＵは、速度情報と位相情報とが適合するサブフレームを受信する。これにより、複数のＯＮＵが受信可能な信号のビットレートが異なっていても、各ＯＮＵが自装置宛ての信号を正しく受信することができる。
【０００８】
【非特許文献１】"Gigabit-capable Passive Optical Networks(G-PON):Transmission convergence layer specification", ITU-T Recommendation G.984.3, ２００４年２月
【非特許文献２】"Part 3:Carrier sense multiple access with collision detection(CSMA/CD) access method and physical layer specifications", IEEE Std 802.3TM-2005, ２００５年１２月
【特許文献１】特開２０００−１８８５９３号公報
【発明の開示】
【発明が解決しようとする課題】
【０００９】
上述したように、通常、ＯＬＴから複数のＯＮＵ宛ての信号のビットレートは同一であることが前提となっているため、一部のＯＮＵ宛ての信号のビットレートを他のＯＮＵ宛ての信号のビットレートより大きくすると、ＯＮＵにおける誤同期などが発生することがある。具体的には、ＯＮＵは、受信信号に含まれるクロック成分を抽出して同期を確立するＣＤＲ（Clock Data Recovery）処理を行うため、受信信号のビットレートが自装置が正しく受信可能なビットレートより大きい場合には、正常な同期確立ができず、ヘッダに格納されたＯＮＵの識別子を取得できないことがある。そして、識別子が取得されなければ、ＯＮＵは、自装置宛てのデータを受信することができない。
【００１０】
さらに、ＯＮＵにとって、自装置が正しく受信可能なビットレート以外の信号は、単なるノイズと同等であるため、このような信号の位置が正確に検知されなければ、受信品質が著しく劣化するおそれがある。
【００１１】
また、上述した特許文献１のように、速度情報および位相情報によってＯＮＵを識別することが考えられるが、この場合には、すべてのＯＮＵの速度が異なっており、速度情報および位相情報から一意にＯＮＵを識別可能であることが要求される。つまり、光伝送システムにおいて、１つのＯＬＴに接続されるすべてのＯＮＵは、互いに受信可能な信号のビットレートが異なっている必要があり、柔軟なシステム設計を行うことができない。
【００１２】
本発明はかかる点に鑑みてなされたものであり、受信側において確実に同期を確立するとともに受信品質の劣化を防止し、異なるビットレートの信号を混在させて伝送することができる光伝送装置および光伝送方法を提供することを目的とする。
【課題を解決するための手段】
【００１３】
上記課題を解決するために、本発明は、第１のビットレートおよび前記第１のビットレートより大きい第２のビットレートのデータを伝送する光伝送装置であって、前記第１のビットレートを有するデータに宛先を識別する識別情報を含む前記第１のビットレートのヘッダを付加する第１付加手段と、前記第２のビットレートを有するデータに宛先を識別する識別情報を含む前記第１のビットレートのヘッダを付加する第２付加手段と、前記第１付加手段または前記第２付加手段によって前記第１のビットレートのヘッダが付加されたデータを送信する送信手段とを有する構成を採る。
【００１４】
この構成によれば、データのビットレートに拘わらずヘッダのビットレートが最小のビットレートに統一された伝送単位が送信されるため、すべての伝送単位のヘッダの内容をすべての受信側の装置が把握することができ、受信側において確実に同期を確立するとともに受信品質の劣化を防止し、異なるビットレートの信号を混在させて伝送することができる。
【００１５】
また、本発明は、上記構成において、前記第２のビットレートのデータに所定の周期で前記第１のビットレートの既知ビットパターンを挿入する挿入手段をさらに有する構成を採る。
【００１６】
この構成によれば、ビットレートが大きいデータ部分に最小のビットレートの既知ビットパターンが挿入されるため、最小のビットレートに対応する受信側の装置においても、ビットレートが大きいデータ部分を利用して、確立済みの同期を継続させることができる。
【００１７】
また、本発明は、上記構成において、前記第２付加手段は、前記第２のビットレートのデータにこのデータの宛先を一意に識別する識別情報を含む前記第２のビットレートの個別ヘッダを付加する個別ヘッダ付加手段と、前記個別ヘッダ付加手段によってそれぞれ個別ヘッダが付加された複数のデータにこれらのデータが前記第２のビットレートのデータであることを示す共通ヘッダを付加する共通ヘッダ付加手段とを含む構成を採る。
【００１８】
この構成によれば、ビットレートが大きい個別ヘッダとデータの組を複数含むデータ部分に共通ヘッダが付加されるため、受信側の装置は、共通ヘッダからデータ部分のビットレートが大きいことを識別することができるとともに、大きいビットレートに対応する受信側の装置は、個別ヘッダから自装置宛てのデータを識別することができる。
【００１９】
また、本発明は、上記構成において、前記第２のビットレートのデータを前記第１のビットレートの整数倍の第３のビットレートのデータに変換する変換手段をさらに有し、前記第２付加手段は、前記第３のビットレートのデータにこのデータの宛先を識別する識別情報を含む前記第１のビットレートのヘッダを付加する構成を採る。
【００２０】
この構成によれば、大きいビットレートが小さいビットレートの整数倍となるため、受信側の装置は、分周によって大きいビットレートに対応するクロック信号から小さいビットレートのクロック信号を容易に得ることができる。
【００２１】
また、本発明は、上記構成において、前記第１付加手段は、前記第１のビットレートのヘッダに前記第１のビットレートのデータの長さを示す情報を含め、前記第２付加手段は、前記第１のビットレートのヘッダに前記第２のビットレートのデータの長さを示す情報を含める構成を採る。
【００２２】
この構成によれば、データの長さの情報を最小のビットレートのヘッダに格納するため、受信側の装置は、データの長さが可変の伝送単位に関しても、確実にヘッダからデータの長さを把握することができる。
【００２３】
また、本発明は、上記構成において、前記送信手段は、前記第１付加手段によってヘッダが付加されたデータと前記第２付加手段によってヘッダが付加されたデータとを時分割多重してフレームを生成する生成手段を含む構成を採る。
【００２４】
この構成によれば、複数の伝送単位を含むフレームを生成するため、例えばＩＴＵ−ＴのＧ．９８４．３などにおいて標準化された仕様を適用する場合にも、フレーム中にビットレートが異なる複数のデータを含めて伝送することができる。
【００２５】
また、本発明は、上記構成において、前記生成手段は、前記第１のビットレートのデータまたは前記第２のビットレートのデータのフレーム内での位置を示すフレームヘッダを先頭に含むフレームを生成する構成を採る。
【００２６】
この構成によれば、フレームヘッダを先頭に設けるため、受信側の装置は、フレーム中の複数の伝送単位の位置を把握することができる。
【００２７】
また、本発明は、上記構成において、ビットレートが変化する境界に変化後のビットレートの同期確立用信号を配置する配置手段をさらに有する構成を採る。
【００２８】
この構成によれば、ビットレートの境界に同期確立用信号を配置するため、受信側の装置において、ビットレートが変化する際にも確実に同期を確立することができる。
【００２９】
また、本発明は、ビットレートが異なる複数のデータを含む信号を受信する光伝送装置であって、受信信号からクロック信号を抽出するクロック信号抽出手段と、前記クロック信号抽出手段によって抽出されたクロック信号を分周して前記複数のデータのビットレートのうち最小のビットレートに対応する低速クロック信号を得る分周手段と、前記分周手段によって得られた低速クロック信号を用いて受信信号に含まれる最小のビットレートのヘッダを抽出するヘッダ抽出手段と、前記ヘッダ抽出手段によって抽出されたヘッダを参照して自装置宛てのデータを取得する取得手段とを有する構成を採る。
【００３０】
この構成によれば、分周により最小のビットレートに対応する低速クロック信号を取得し、この低速クロック信号を用いてヘッダからデータの宛先を識別するため、すべてのデータに最小のビットレートのヘッダが付加されていれば、このヘッダから容易にデータの宛先を識別することができる。
【００３１】
また、本発明は、第１のビットレートおよび前記第１のビットレートより大きい第２のビットレートのデータを伝送する光伝送方法であって、前記第１のビットレートを有するデータに宛先を識別する識別情報を含む前記第１のビットレートのヘッダを付加する第１付加工程と、前記第２のビットレートを有するデータに宛先を識別する識別情報を含む前記第１のビットレートのヘッダを付加する第２付加工程と、前記第１付加工程または前記第２付加工程にて前記第１のビットレートのヘッダが付加されたデータを送信する送信工程とを有するようにした。
【００３２】
この方法によれば、データのビットレートに拘わらずヘッダのビットレートが最小のビットレートに統一された伝送単位が送信されるため、すべての伝送単位のヘッダの内容をすべての受信側の装置が把握することができ、受信側において確実に同期を確立するとともに受信品質の劣化を防止し、異なるビットレートの信号を混在させて伝送することができる。
【００３３】
また、本発明は、ビットレートが異なる複数のデータを含む信号を受信する光伝送方法であって、受信信号からクロック信号を抽出するクロック信号抽出工程と、前記クロック信号抽出工程にて抽出されたクロック信号を分周して前記複数のデータのビットレートのうち最小のビットレートに対応する低速クロック信号を得る分周工程と、前記分周工程にて得られた低速クロック信号を用いて受信信号に含まれる最小のビットレートのヘッダを抽出するヘッダ抽出工程と、前記ヘッダ抽出工程にて抽出されたヘッダを参照してこのヘッダに対応するデータの宛先を識別する識別工程とを有するようにした。
【００３４】
この方法によれば、分周により最小のビットレートに対応する低速クロック信号を取得し、この低速クロック信号を用いてヘッダからデータの宛先を識別するため、すべてのデータに最小のビットレートのヘッダが付加されていれば、このヘッダから容易にデータの宛先を識別することができる。
【発明の効果】
【００３５】
本発明によれば、受信側において確実に同期を確立するとともに受信品質の劣化を防止し、異なるビットレートの信号を混在させて伝送することができる。
【発明を実施するための最良の形態】
【００３６】
本発明の骨子は、ビットレートが異なる複数のデータを送信する際、それぞれのデータに付加するヘッダのビットレートを複数のデータのビットレートのうち最小のビットレートで統一し、一組のデータとヘッダを伝送単位として送信することである。以下、本発明の実施の形態について、図面を参照して詳細に説明する。
【００３７】
（実施の形態１）
図１は、本発明の実施の形態１に係る光伝送システムの概略構成を示すブロック図である。同図に示すように、本実施の形態においては、局側装置であるＯＬＴ１００に加入者側装置である複数のＯＮＵ３００がスプリッタ２００を介して接続されている。
【００３８】
ＯＬＴ１００は、複数のＯＮＵ３００宛ての信号を時分割多重し、光ファイバを介して送信する。このとき、ＯＬＴ１００は、ビットレートが異なるデータに対して同一のビットレートのヘッダを付加し、得られた一組のデータとヘッダを伝送単位として送信する。データに付加されるヘッダのビットレートは、すべてのＯＮＵ３００のビットレートのうち最小のビットレートに等しい。また、ヘッダには、データの宛先のＯＮＵ３００を識別するＩＤと伝送単位中におけるデータの位置とに関する情報が格納されている。
【００３９】
スプリッタ２００は、ＯＬＴ１００に接続する光ファイバを分岐して、複数のＯＮＵ３００へ接続させる。このため、ＯＬＴ１００から光ファイバを介して送信される信号は、スプリッタ２００を経由してすべてのＯＮＵ３００へ伝送される。
【００４０】
ＯＮＵ３００は、光ファイバを介して信号を受信し、受信信号からヘッダに自装置のＩＤが格納された伝送単位のデータを取得する。なお、図１においては、すべてのＯＮＵ３００が完全に同一の機能を有するものではなく、それぞれのＯＮＵ３００が受信可能な信号のビットレートは多様であり、一部のビットレートが等しかったり異なっていたりして良い。ただし、以下においては説明を簡単にするため、ビットレートＡおよびビットレートＢの２種類のビットレートに対応するＯＮＵ３００が混在するものとして説明する。ビットレートＢは、ビットレートＡよりも大きいビットレートである。
【００４１】
図２は、本実施の形態に係るＯＬＴ１００の要部構成を示すブロック図である。図２に示すＯＬＴ１００は、バッファ部１０１、出力制御部１０２、ビットレート指示部１０３、ヘッダ付加部１０４、ヘッダ付加部１０５、時分割多重部１０６、およびＥ／Ｏ（Electrical/Optical）変換部１０７を有している。
【００４２】
バッファ部１０１は、ＯＮＵ３００へ送信するデータを一時的に保持する。このとき、バッファ部１０１は、ビットレートＡに対応するＯＮＵ３００宛てのデータと、ビットレートＢに対応するＯＮＵ３００宛てのデータとを保持する。換言すれば、バッファ部１０１は、ビットレートＡのデータとビットレートＢのデータとを保持している。
【００４３】
出力制御部１０２は、１つの伝送単位に含めるデータをバッファ部１０１からヘッダ付加部１０４またはヘッダ付加部１０５へ出力する。具体的には、出力制御部１０２は、ビットレートＡのデータをヘッダ付加部１０４へ出力し、ビットレートＢのデータをヘッダ付加部１０５へ出力する。そして、出力制御部１０２は、１つの伝送単位に含めるデータを出力すると、その旨をビットレート指示部１０３へ通知する。
【００４４】
ここで、１つの伝送単位に含めるデータとは、例えば伝送単位が固定長のＡＴＭセルである場合には、ＡＴＭセルのヘッダを除く固定長のペイロードに相当する分のデータであり、例えば伝送単位が可変長のＧＥＭ領域やＭＰＣＰフレームである場合には、バッファ部１０１に入力されたイーサネット（登録商標）のパケット分のデータなどである。したがって、１つの伝送単位には、必ず１つのＯＮＵ３００宛てのデータが含められることになる。
【００４５】
ビットレート指示部１０３は、出力制御部１０２によってデータがヘッダ付加部１０４またはヘッダ付加部１０５へ出力されると、データが入力されたヘッダ付加部１０４またはヘッダ付加部１０５に対して、データに付加するヘッダのビットレートを指示する。すなわち、ビットレート指示部１０３は、ヘッダ付加部１０４またはヘッダ付加部１０５に対して、最小のビットレートであるビットレートＡのヘッダを付加するように指示する。
【００４６】
ヘッダ付加部１０４は、ビットレート指示部１０３からの指示を受け、ビットレートＡのデータにビットレートＡのヘッダを付加して伝送単位を生成する。具体的には、ヘッダ付加部１０４は、データの宛先のＯＮＵ３００のＩＤとデータ長とを格納するビットレートＡのヘッダを生成し、出力制御部１０２から出力されるビットレートＡのデータに付加する。
【００４７】
ヘッダ付加部１０５は、ビットレート指示部１０３からの指示を受け、ビットレートＢのデータにビットレートＡのヘッダを付加して伝送単位を生成する。具体的には、ヘッダ付加部１０５は、データの宛先のＯＮＵ３００のＩＤとデータ長とを格納するビットレートＡのヘッダを生成し、出力制御部１０２から出力されるビットレートＢのデータに付加する。すなわち、ヘッダ付加部１０５は、データとヘッダのビットレートが異なる伝送単位を生成する。
【００４８】
ヘッダ付加部１０４およびヘッダ付加部１０５がデータに付加するヘッダのビットレートは、いずれもビットレートＡであり、ビットレートＡおよびビットレートＢのうち最小のビットレートである。ここでは、ビットレートＡおよびビットレートＢの２種類のビットレートのみを考慮しているが、３種類以上のビットレートに対応するＯＮＵ３００がある場合にも、データのビットレートに拘わらず最小のビットレートを共通のビットレートとしてヘッダが生成される。
【００４９】
時分割多重部１０６は、１つまたは複数の伝送単位を時分割多重して、データフレームを生成する。すなわち、時分割多重部１０６は、１つまたは複数の伝送単位を時系列に配置し、ひとまとまりのデータフレームとして出力する。このとき、時分割多重部１０６は、複数の伝送単位からデータフレームを生成する場合には、データフレーム全体のヘッダとしてフレームヘッダを付加しても良い。
【００５０】
Ｅ／Ｏ変換部１０７は、時分割多重部１０６によって生成されたデータフレームを光信号に変換し、光ファイバへ送出する。
【００５１】
次いで、上記のように構成されたＯＬＴ１００の動作について、図３に示すフロー図を参照しながら説明する。
【００５２】
まず、ＯＮＵ３００宛てのデータがＯＬＴ１００に入力され、バッファ部１０１によって保持される（ステップＳ１０１）。このデータのビットレートは、宛先のＯＮＵ３００が対応するビットレートに等しいため、ここでは、ビットレートＡまたはビットレートＢとなっている。そして、出力制御部１０２によって、データのビットレートがビットレートＡであるか否かが判断され（ステップＳ１０２）、ビットレートＡのデータであれば（ステップＳ１０２Ｙｅｓ）、出力制御部１０２によって、１つの伝送単位分のデータがバッファ部１０１からヘッダ付加部１０４へ出力される（ステップＳ１０３）。
【００５３】
同時に、出力制御部１０２によって、１つの伝送単位分のデータがヘッダ付加部１０４へ出力された旨がビットレート指示部１０３へ通知され、ビットレート指示部１０３によって、ビットレートＡのヘッダを付加するようにヘッダ付加部１０４へ指示が出される（ステップＳ１０４）。
【００５４】
そして、ヘッダ付加部１０４においては、ビットレート指示部１０３からの指示により、データの宛先のＯＮＵ３００のＩＤとデータ長とに関する情報が格納されたビットレートＡのヘッダが生成され、出力制御部１０２から出力されたデータに付加される（ステップＳ１０５）。これにより、ビットレートＡのデータにビットレートＡのヘッダが付加された伝送単位が生成される。
【００５５】
一方、出力制御部１０２の判断の結果、データがビットレートＢのデータであれば（ステップＳ１０２Ｎｏ）、出力制御部１０２によって、１つの伝送単位分のデータがバッファ部１０１からヘッダ付加部１０５へ出力される（ステップＳ１０６）。
【００５６】
同時に、出力制御部１０２によって、１つの伝送単位分のデータがヘッダ付加部１０５へ出力された旨がビットレート指示部１０３へ通知され、ビットレート指示部１０３によって、ビットレートＡのヘッダを付加するようにヘッダ付加部１０５へ指示が出される（ステップＳ１０７）。
【００５７】
そして、ヘッダ付加部１０５においては、ビットレート指示部１０３からの指示により、データの宛先のＯＮＵ３００のＩＤとデータ長とに関する情報が格納されたビットレートＡのヘッダが生成され、出力制御部１０２から出力されたデータに付加される（ステップＳ１０８）。これにより、ビットレートＢのデータにビットレートＡのヘッダが付加された伝送単位が生成される。
【００５８】
ここで、ヘッダ付加部１０４およびヘッダ付加部１０５によって生成される伝送単位は、データのビットレートが異なるため、伝送単位の大きさが等しくても伝送されるデータ量は異なっている。すなわち、ヘッダ付加部１０５によって生成される伝送単位のデータはビットレートＢであるため、伝送単位の大きさが等しければ、ヘッダ付加部１０４によって生成される伝送単位よりもヘッダ付加部１０５によって生成される伝送単位の方が多くのデータを伝送することができる。
【００５９】
これに対して、ヘッダ付加部１０４およびヘッダ付加部１０５によって生成される伝送単位のヘッダは、いずれもビットレートがビットレートＡで共通している。したがって、低速のビットレートＡに対応するＯＮＵ３００であっても、すべての伝送単位のヘッダを正確に受信することができ、ヘッダに格納されたＯＮＵ３００のＩＤから伝送単位が自装置宛てのデータを含むか否かを判断することができる。
【００６０】
ヘッダ付加部１０４またはヘッダ付加部１０５によって伝送単位が生成されると、時分割多重部１０６によって、１つまたは複数の伝送単位が時分割多重され、データフレームが生成される（ステップＳ１０９）。そして、生成されたデータフレームは、Ｅ／Ｏ変換部１０７によって光信号に変換され（ステップＳ１１０）、光ファイバを介して複数のＯＮＵ３００へ送信される。
【００６１】
ここで、Ｅ／Ｏ変換部１０７から送信されるデータフレームには、一組のヘッダとデータからなる伝送単位を１つまたは複数含んでいる。そして、例えば図４に示すように、各伝送単位のデータ部分は、宛先のＯＮＵ３００が対応するビットレートＡまたはビットレートＢであるのに対し、各伝送単位のヘッダ部分は、宛先のＯＮＵ３００のビットレートに拘わらずすべてビットレートＡである。このビットレートＡのヘッダ部分には、宛先のＯＮＵ３００を示すＩＤとデータ部分の長さとの情報が格納されている。データ部分の長さの情報としては、単にデータ長を示すものであっても良く、データ部分の開始位置および終了位置を示すものであっても良い。
【００６２】
具体的に、例えばＩＴＵ−ＴのＧ．９８４．３におけるＧＥＭ領域を伝送単位とした場合、図５に示すように、ヘッダ部分にはＰＬＩ（Payload Length Indicator）、Ｐｏｒｔ
ＩＤ、ＰＴＩ（Payload Type Indicator）、およびＨＥＣ（Header Error Control）の４つのフィールドがあるため、このうちＰＬＩフィールドがデータ長の情報を格納し、Ｐｏｒｔ  ＩＤフィールドに宛先のＯＮＵ３００の識別情報を格納すれば良い。そして、これらのフィールドからなるヘッダ部分は、データ部分であるペイロードのビットレートに拘わらず、ビットレートＡの信号となっている。
【００６３】
また、例えばＩＴＵ−ＴのＧ．９８４．４におけるＡＴＭセルを伝送単位とした場合、図６に示すように、ヘッダ部分にはＧＦＣ（General Flow Control）、ＶＰＩ（Virtual Path Identifier）、ＶＣＩ（Virtual Channel Identifier）、ＰＴ（Payload Type）、ＣＬＰ（Cell Loss Priority）、およびＨＥＣ（Header Error Control）の６つのフィールドがあるため、このうちＶＰＩフィールドに宛先のＯＮＵ３００の識別情報を格納すれば良い。なお、ＡＴＭセルは固定長であるため、図６に示すようにデータ部分であるペイロードの大きさは４８バイトに固定されており、データ長の情報をヘッダ部分に格納する必要はない。
【００６４】
さらに、図示は省略したが、例えばＩＥＥＥの８０２．３におけるＭＰＣＰフレームを伝送単位とした場合、ヘッダ部分のＬＬＩＤ（Logical Link Identifier）フィールドに宛先のＯＮＵ３００の識別情報を格納し、Ｔｙｐｅ／Ｌｅｎｇｔｈフィールドにデータ長の情報を格納すれば良い。
【００６５】
これらのいずれの場合も、それぞれの伝送単位には一組のヘッダとデータが含まれており、ヘッダのビットレートは、複数のＯＮＵ３００が対応するビットレートのうち最小のビットレートＡとなっている。このため、データのビットレートに拘わらず、すべてのＯＮＵ３００がすべての伝送単位のヘッダを用いて同期を確立することが可能であり、ヘッダに格納された宛先のＯＮＵ３００のＩＤやデータ長の情報を参照することができる。換言すれば、受信側において確実に同期を確立するとともに受信品質の劣化を防止し、異なるビットレートの信号を混在させて伝送することができる。
【００６６】
次に、本実施の形態に係るＯＮＵ３００の構成について、図７を参照しながら説明する。図７は、本実施の形態に係るビットレートＢに対応するＯＮＵ３００の要部構成を示すブロック図である。なお、ビットレートＡに対応するＯＮＵ３００の構成については、従来と同様であるため、その説明を省略する。図７に示すＯＮＵ３００は、Ｏ／Ｅ（Optical/Electrical）変換部３０１、ＣＤＲ（Clock Data Recovery）部３０２、分周部３０３、ヘッダ抽出部３０４、ＩＤ識別部３０５、およびデータ取得部３０６を有している。
【００６７】
Ｏ／Ｅ変換部３０１は、スプリッタ２００によって分岐された光ファイバからデータフレームを受信し、受信信号を電気信号に変換してＣＤＲ部３０２へ出力する。
【００６８】
ＣＤＲ部３０２は、データフレームに含まれるクロック信号を抽出して分周部３０３へ出力するとともに、データフレームに含まれる１つまたは複数の伝送単位をヘッダ抽出部３０４およびデータ取得部３０６へ出力する。ここでは、ＯＮＵ３００がビットレートＢに対応しているため、ＣＤＲ部３０２は、ビットレートＢに対応するクロック信号をデータフレームから抽出することになる。
【００６９】
分周部３０３は、ＣＤＲ部３０２によって抽出されたクロック信号を分周して、ビットレートＡに対応するクロック信号をヘッダ抽出部３０４へ出力する。すなわち、分周部３０３は、ビットレートＢに対応するクロック信号からヘッダの抽出用にビットレートＡに対応するクロック信号を生成し、ヘッダ抽出部３０４へ出力する。
【００７０】
ヘッダ抽出部３０４は、分周部３０３から出力されるビットレートＡのクロック信号を用いてデータフレームに含まれる伝送単位との同期を確立し、伝送単位からヘッダを抽出する。
【００７１】
ＩＤ識別部３０５は、伝送単位のヘッダに含まれる宛先のＯＮＵ３００のＩＤが自装置のＩＤであるか否かを識別する。そして、ＩＤ識別部３０５は、ヘッダに含まれるＩＤが自装置のＩＤである場合には、この伝送単位に含まれるデータを取得するようにデータ取得部３０６へ指示する。
【００７２】
データ取得部３０６は、ＩＤ識別部３０５から指示された伝送単位からデータを取得する。データ取得部３０６が取得するデータは、付加されたヘッダに自装置のＩＤが含まれている自装置宛てのデータである。そして、このデータはヘッダとは異なり、ビットレートＢの信号となっている。
【００７３】
本実施の形態においては、ＯＬＴ１００において生成される各伝送単位にビットレートＡのヘッダが含まれているため、ビットレートＢに対応するＯＮＵ３００は、ビットレートＢに対応するクロック信号を分周して、ビットレートＡに対応するクロック信号を得る必要がある。そして、ＯＮＵ３００は、ビットレートＡに対応するクロック信号を用いて伝送単位のヘッダに対する同期を確立し、伝送単位が自装置宛てのデータを含むか否かをヘッダに格納されたＩＤから識別する。これにより、ビットレートＢに対応するＯＮＵ３００は、ビットレートＡのヘッダを含む伝送単位からも自装置宛てのデータを取得することができる。
【００７４】
一方、図示を省略したビットレートＡに対応するＯＮＵ３００は、通常通り、ビットレートＡに対応するクロック信号を用いて伝送単位のヘッダに対する同期を確立し、伝送単位が自装置宛てのデータを含むか否かをヘッダに格納されたＩＤから識別する。そして、ビットレートＡに対応するＯＮＵ３００は、自装置宛てではないビットレートＢのデータを含む伝送単位を無視するため、ビットレートＢのデータによって受信品質が劣化したり誤動作が起きたりすることはない。
【００７５】
以上のように、本実施の形態によれば、ＯＬＴは、信号を受信し得る複数のＯＮＵが対応するビットレートのうち最小のビットレートのヘッダを各ＯＮＵへ送信するすべてのデータに付加して伝送単位を生成し、１つまたは複数の伝送単位を時分割多重して得られるデータフレームを送信する。そして、伝送単位中のヘッダには、データの宛先のＯＮＵを識別するＩＤを格納する。このため、取得可能なデータのビットレートに拘わらずすべてのＯＮＵがすべての伝送単位のヘッダを用いて同期確立し、伝送単位の宛先を確認することが可能となり、受信側において確実に同期を確立するとともに受信品質の劣化を防止し、異なるビットレートの信号を混在させて伝送することができる。
【００７６】
（実施の形態２）
本発明の実施の形態２の特徴は、ビットレートＢに対応するＯＮＵ宛てのデータにビットレートＡに対応するＯＮＵ用の同期保護パターンを挿入し、ビットレートＡに対応するＯＮＵにおける同期はずれを確実に防止する点である。
【００７７】
図８は、本実施の形態に係るＯＬＴ１００の要部構成を示すブロック図である。同図において、図２と同じ部分には同じ符号を付し、その説明を省略する。図８に示すＯＬＴ１００は、図２に示すＯＬＴ１００に同期保護パターン挿入部１２１を追加し、時分割多重部１０６をフレーム生成部１２２に代えた構成を有している。
【００７８】
同期保護パターン挿入部１２１は、出力制御部１０２から出力されるビットレートＢのデータに所定の周期でビットレートＡの同期保護パターンを挿入する。同期保護パターンは、ＯＮＵ３００において既知のビットパターンの信号であり、ビットレートＡに対応するＯＮＵ３００がビットレートＢのデータに挿入された同期保護パターンを検出することにより、一度確立された同期を継続させることが容易となる。
【００７９】
フレーム生成部１２２は、複数の伝送単位を時分割多重した上でビットレートＡのフレームヘッダを付加して、データフレームを生成する。すなわち、フレーム生成部１２２は、それぞれビットレートＡまたはビットレートＢのデータとビットレートＡのヘッダとからなる複数の伝送単位を時系列に配置し、複数の伝送単位全体にフレームヘッダを付加する。
【００８０】
本実施の形態においては、実施の形態１と同様に一組のヘッダとデータから伝送単位が構成されており、例えば図９に示すように、複数の伝送単位とフレームヘッダからデータフレームが構成されている。そして、フレームヘッダには、フレーム同期を確立するための既知の信号やフレーム内の各伝送単位が配置されている位置に関する情報などが格納されている。すなわち、ＯＮＵ３００は、フレームヘッダに格納された情報から、ビットレートＡのデータを含む伝送単位の位置やビットレートＢのデータを含む伝送単位の位置を把握することができる。このフレームヘッダは、ビットレートＡの信号であり、すべてのＯＮＵ３００が共通して内容を確認することができる。
【００８１】
また、実施の形態１と同様に、すべての伝送単位のヘッダはビットレートＡの信号であり、すべてのＯＮＵ３００は、ヘッダに格納された宛先の情報から各伝送単位が自装置宛てであるか否かを識別することができる。
【００８２】
さらに、本実施の形態においては、図９に斜線で示すように、ビットレートＢのデータ部分に周期的にビットレートＡの同期保護パターンが挿入されている。同期保護パターンのビットパターンや周期は、すべてのＯＮＵ３００において既知である。
【００８３】
通常、ビットレートＡに対応するＯＮＵ３００は、ビットレートＡのヘッダから伝送単位が自装置宛てのものであるか否かを識別し、自装置宛て以外の伝送単位は無視するが、このとき、自装置宛て以外の伝送単位であっても、信号に含まれるクロック信号を用いて同期はずれを防止することが可能である。しかし、ビットレートＢのデータ部分におけるクロック信号を用いてビットレートＡに対応するＯＮＵ３００が同期を継続させることは不可能であるため、本実施の形態においては、ビットレートＢのデータ部分にビットレートＡの同期保護パターンが挿入される。
【００８４】
これにより、ビットレートＡに対応するＯＮＵ３００においてもビットレートＢのデータ部分を用いて同期を保護することができ、一度確立した同期はずれを防止することができる。
【００８５】
次に、本実施の形態に係るＯＮＵ３００の構成について、図１０を参照しながら説明する。同図において、図７と同じ部分には同じ符号を付し、その説明を省略する。図１０に示すＯＮＵ３００は、図７に示すＯＮＵ３００にフレーム同期部３２１および同期保護パターン削除部３２２を追加した構成を有している。なお、図１０は、ビットレートＢに対応するＯＮＵ３００の構成を示している。
【００８６】
フレーム同期部３２１は、データフレームのフレームヘッダに格納されたフレーム同期用の信号を用いてフレームの先頭を検出し、フレーム同期を確立する。上述したように、フレームヘッダはビットレートＡの信号であるため、フレーム同期部３２１は、分周部３０３によって分周されて得られたビットレートＡのクロック信号を利用する。そして、フレーム同期部３２１は、フレーム同期が確立された後、データフレーム内のすべての伝送単位のヘッダをヘッダ抽出部３０４へ出力する。
【００８７】
同期保護パターン削除部３２２は、自装置宛ての伝送単位のデータ部分から所定の周期で挿入された同期保護パターンを削除する。そして、同期保護パターン削除部３２２は、自装置宛ての伝送単位に含まれるデータ部分のみをデータ取得部３０６へ出力する。
【００８８】
本実施の形態においては、ビットレートＢのデータ部分に同期保護パターンが挿入されるが、上述したように、この同期保護パターンはビットレートＢに対応するＯＮＵ３００においては削除されるため、データ部分に影響を与えることはない。また、ビットレートＡに対応するＯＮＵ３００においては、自装置宛てではないビットレートＢのデータ部分を用いて同期を保護することができる。
【００８９】
以上のように、本実施の形態によれば、ＯＬＴは、ビットレートＢのデータに所定の周期でビットレートＡの同期保護パターンを挿入するため、ビットレートＡに対応するＯＮＵは、自装置宛てではないビットレートＢのデータ部分の同期保護パターンを用いて、確立された同期を継続的に保護することができる。
【００９０】
（実施の形態３）
本発明の実施の形態３の特徴は、高速のビットレートに対応する複数のＯＮＵ宛てのデータを含むデータ部分に最小のビットレートの共通ヘッダを付加して伝送単位を生成する点である。
【００９１】
図１１は、本実施の形態に係るＯＬＴ１００の要部構成を示すブロック図である。同図において、図２と同じ部分には同じ符号を付し、その説明を省略する。図１１に示すＯＬＴ１００は、バッファ部１０１、出力制御部１０２、ビットレート指示部１４１、ヘッダ付加部１０４、個別ヘッダ付加部１４２、共通ヘッダ付加部１４３、フレーム生成部１４４、およびＥ／Ｏ変換部１０７を有している。
【００９２】
ビットレート指示部１４１は、データがヘッダ付加部１０４、個別ヘッダ付加部１４２、および共通ヘッダ付加部１４３へ入力されると、入力されたデータに付加するヘッダのビットレートを指示する。すなわち、ビットレート指示部１４１は、ヘッダ付加部１０４に対して、ビットレートＡのヘッダを付加するように指示する。また、ビットレート指示部１４１は、個別ヘッダ付加部１４２に対して、ビットレートＢの個別ヘッダを付加するように指示する一方、共通ヘッダ付加部１４３に対して、ビットレートＡの共通ヘッダを付加するように指示する。
【００９３】
個別ヘッダ付加部１４２は、ビットレート指示部１４１からの指示を受け、ビットレートＢのデータにビットレートＢの個別ヘッダを付加する。個別ヘッダには、ビットレートＢのデータの宛先のＯＮＵ３００の個別ＩＤが格納されている。
【００９４】
共通ヘッダ付加部１４３は、ビットレート指示部１４１からの指示を受け、個別ヘッダが付加された１つまたは複数のビットレートＢのデータ全体に、共通ヘッダを付加して伝送単位を生成する。共通ヘッダには、共通ヘッダに続くデータ部分がビットレートＢの信号であることを示す共通ＩＤが格納されている。また、共通ヘッダ付加部１４３によって生成される伝送単位は、複数のＯＮＵ３００宛てのデータを含んでいる。
【００９５】
フレーム生成部１４４は、ヘッダ付加部１０４においてヘッダが付加された伝送単位および共通ヘッダ付加部１４３において共通ヘッダが付加された伝送単位を時分割多重した上でビットレートＡのフレームヘッダを付加して、データフレームを生成する。
【００９６】
本実施の形態においては、例えば図１２に示すように、ビットレートＢのデータ部分に個別ヘッダとデータの組が複数含まれており、それぞれのデータの宛先は異なるＯＮＵ３００となっている。そして、これらのデータの宛先は、個別ヘッダに格納されるＯＮＵ３００の個別ＩＤによって識別可能となっている。また、これらの個別ヘッダとデータの複数の組全体にビットレートＡの共通ヘッダが付加されている。共通ヘッダには、共通ヘッダに続くデータ部分がビットレートＢであることを示す共通ＩＤが格納されており、このデータフレームを受信するＯＮＵ３００は、ビットレートＡの共通ヘッダからビットレートＢのデータ部分の位置を把握することができる。
【００９７】
したがって、ＯＮＵ３００がビットレートＡに対応するものであれば、ビットレートＢのデータ部分が続くことを示す共通ヘッダに続くデータ部分は無視し、ＯＮＵ３００がビットレートＢに対応するものであれば、ビットレートＢのデータ部分が続くことを示す共通ヘッダに続くデータ部分の個別ヘッダから自装置宛てのデータを識別する。
【００９８】
このような構成のデータフレームの具体例としては、例えば図１３に示すように、ＩＴＵ−ＴのＧ．９８４．３におけるＧＥＭ領域に複数のビットレートＢに対応するＯＮＵ３００宛てのＡＴＭセルを格納する場合や、図１４に示すように、１つのＡＴＭセルに複数のビットレートＢに対応するＯＮＵ３００宛てのＡＴＭセルを格納する場合などが考えられる。
【００９９】
図１３に示すデータフレームの構成においては、フレームヘッダに相当するＰＣＢｄに続いて、ビットレートＡのＡＴＭセルが配置され、その後に配置されるＧＥＭ領域に複数のビットレートＢのＡＴＭセルが格納される。ビットレートＢのＡＴＭセルは、それぞれ個別ヘッダを有しており、個別ヘッダ内に宛先のＯＮＵ３００を示す個別ＩＤが格納されている。また、宛先が異なる複数のビットレートＢのＡＴＭセルには、共通ヘッダが付加されており、これらのＡＴＭセルがビットレートＢの信号であることが明示されている。
【０１００】
また、図１４に示すデータフレームの構成においては、フレームヘッダに相当するＰＣＢｄに続いて、ビットレートＡのＡＴＭセル（ＡＴＭセルｒａｔｅＡ）が配置され、その後に複数のビットレートＢのＡＴＭセル（ＡＴＭセルｒａｔｅＢ）が配置される。ここで、ビットレートＡを例えば２．５Ｇｂｐｓとし、ビットレートＢを例えば１０Ｇｂｐｓとすると、ビットレートＢは、ビットレートＡの４倍に相当するため、ビットレートＢのＡＴＭセル（ＡＴＭセルｒａｔｅＢ）にはビットレートＡのＡＴＭセル（ＡＴＭセルｒａｔｅＡ）の４倍の情報を格納することが可能である。
【０１０１】
ただし、本実施の形態においては、ビットレートＢのＡＴＭセル（ＡＴＭセルｒａｔｅＢ）にビットレートＡの共通ヘッダを付加するため、ビットレートＢのＡＴＭセル（ＡＴＭセルｒａｔｅＢ）には、３つのＯＮＵ３００宛てのＡＴＭセルと共通ヘッダを格納することができる。すなわち、ビットレートＢのＡＴＭセル（ＡＴＭセルｒａｔｅＢ）は、ビットレートＡのＡＴＭセル（ＡＴＭセルｒａｔｅＡ）と等しい長さでありながら、ビットレートＡのＡＴＭセル（ＡＴＭセルｒａｔｅＡ）３つ分のデータを転送することができる。
【０１０２】
そして、ＡＴＭセルは固定長であることから、ビットレートＢのＡＴＭセル（ＡＴＭセルｒａｔｅＢ）において、共通ヘッダとＡＴＭセル以外の部分には、同期保護用の既知のパターンの信号などを格納しておくことが可能である。この既知パターンの信号を格納する位置は、ビットレートＢのＡＴＭセル（ＡＴＭセルｒａｔｅＢ）内の共通ヘッダおよびＡＴＭセル以外の部分であればどこでも良い。また、ビットレートＢのＡＴＭセル（ＡＴＭセルｒａｔｅＢ）内の各ＡＴＭセルは、それぞれ個別ヘッダを有しており、個別ヘッダ内に宛先のＯＮＵ３００を示す個別ＩＤが格納されている。
【０１０３】
このように、ビットレートＢのデータにはそれぞれビットレートＢの個別ヘッダを付加し、個別ヘッダとデータの複数の組にビットレートＡの共通ヘッダを付加することにより、ビットレートＡに対応するＯＮＵ３００においては、ビットレートＢのデータ部分を正しく認識して無視することができ、ビットレートＢに対応するＯＮＵ３００においては、ビットレートＢのデータ部分から自装置宛てのデータを取得することができる。
【０１０４】
次に、本実施の形態に係るＯＮＵ３００の構成について、図１５を参照しながら説明する。同図において、図７および図１０と同じ部分には同じ符号を付し、その説明を省略する。図１５に示すＯＮＵ３００は、Ｏ／Ｅ変換部３０１、ＣＤＲ部３０２、分周部３０３、フレーム同期部３２１、ヘッダ抽出部３４１、共通ＩＤ識別部３４２、個別ＩＤ識別部３４３、およびデータ取得部３０６を有している。なお、図１５は、ビットレートＢに対応するＯＮＵ３００の構成を示している。
【０１０５】
ヘッダ抽出部３４１は、フレーム同期部３２１によってフレーム同期が確立されると、データフレームからビットレートＡのヘッダおよび共通ヘッダを抽出する。これらのヘッダおよび共通ヘッダの位置は、フレームヘッダに格納された情報から判別することができる。
【０１０６】
共通ＩＤ識別部３４２は、ビットレートＡのヘッダおよび共通ヘッダに格納された情報から、ビットレートＢのデータが続くことを示す共通ＩＤを識別し、共通ヘッダに続くデータ部分を取得するように個別ＩＤ識別部３４３へ指示する。
【０１０７】
個別ＩＤ識別部３４３は、共通ＩＤ識別部３４２からの指示を受け、共通ヘッダに続くデータ部分を取得し、このデータ部分に含まれる個別ヘッダの個別ＩＤを識別し、自装置宛てのデータを検出する。そして、個別ＩＤ識別部３４３は、自装置宛てのデータを取得するようにデータ取得部３０６へ指示する。
【０１０８】
本実施の形態においては、ビットレートＢのデータ部分の前には共通ＩＤを含む共通ヘッダが付加されるため、ビットレートＢに対応するＯＮＵ３００は、データフレームから共通ＩＤを検出することにより、ビットレートＢのデータ部分の位置を把握することができる。そして、ビットレートＢのデータ部分には、ビットレートＢの個別ヘッダが格納されているため、ＯＮＵ３００は、個別ヘッダから自装置宛てのデータを識別し、自装置宛てのデータを取得することができる。
【０１０９】
一方、ビットレートＡに対応するＯＮＵ３００は、データフレームから共通ＩＤを検出することにより、ビットレートＢのデータ部分の位置を把握し、このデータ部分を無視することができる。これにより、ビットレートＡに対応するＯＮＵ３００は、ビットレートＢのデータ部分による影響を受けることがない。
【０１１０】
以上のように、本実施の形態によれば、ＯＬＴは、ビットレートＢのデータ部分に複数のＯＮＵ宛てのデータと個別ヘッダを格納するとともに、ビットレートＢのデータ部分にビットレートＢであることを示す共通ヘッダをビットレートＡで付加する。このため、すべてのＯＮＵは、ビットレートＢのデータ部分の位置を共通ヘッダから正確に把握することができ、ビットレートＡに対応するＯＮＵは、このデータ部分を無視する一方、ビットレートＢに対応するＯＮＵは、このデータ部分に含まれる個別ヘッダから自装置宛てのデータを識別することができる。
【０１１１】
（実施の形態４）
本発明の実施の形態４の特徴は、高速のビットレートがヘッダに用いられる低速のビットレートの整数倍となるように信号の速度変換を行う点である。
【０１１２】
図１６は、本実施の形態に係るＯＬＴ１００の要部構成を示すブロック図である。同図において、図２および図８と同じ部分には同じ符号を付し、その説明を省略する。図１６に示すＯＬＴ１００は、図８に示すＯＬＴ１００の同期保護パターン挿入部１２１を速度変換部１６１に代えた構成を有している。
【０１１３】
速度変換部１６１は、出力制御部１０２から出力されるデータのビットレートをビットレートＡの整数倍に変換する。すなわち、速度変換部１６１は、出力制御部１０２から出力されるデータのビットレートＢを変換して、ビットレートＡの整数倍のビットレートＣとする。
【０１１４】
本実施の形態においては、高速のビットレートＣを低速のビットレートＡの整数倍とするため、ビットレートＣに対応するＯＮＵ３００においてビットレートＡのヘッダを抽出する際の分周が容易になる。
【０１１５】
以上のように、本実施の形態によれば、高速のビットレートをヘッダのビットレートの整数倍にするため、受信側におけるクロック信号の分周を容易に行うことができる。
【０１１６】
なお、上記各実施の形態においては、複数のＯＮＵ３００がすべてビットレートＡまたはビットレートＢ（ビットレートＣ）に対応しているものとしたが、複数のＯＮＵ３００が３種類以上のビットレートのいずれかに対応していても良い。この場合には、伝送単位中のヘッダ（または共通ヘッダ）のビットレートを、３種類以上のビットレートのうち最小のビットレートに統一すれば良い。
【０１１７】
また、上記各実施の形態においては、図１７に示すように、ビットレートＢのデータ部分の先頭にビットレートＢの同期確立用信号を挿入しても良い。こうすることにより、ビットレートＢに対応するＯＮＵ３００は、ビットレートＢのデータ部分を取得する際に、同期確立用信号を用いてビットレートＢでの同期を確実に確立することができる。
【０１１８】
さらに、上記各実施の形態においては、データフレーム中のビットレートが変化するため、例えば図１８に示すように、ビットレートがビットレートＢからビットレートＡに変化する位置にビットレートＡの同期確立用信号を挿入しても良い。図１８においては、ビットレートＢのデータを含む伝送単位（伝送単位Ｂ）とビットレートＡのデータを含む伝送単位（伝送単位Ａ）との境界にビットレートＡの同期確立用信号を挿入している。
【０１１９】
また、２つのビットレートＢのデータを含む伝送単位（伝送単位Ｂ）の境界にもビットレートＡの同期確立用信号を挿入している。これは、伝送単位Ａでも伝送単位ＢでもヘッダはビットレートＡの信号であるため、ビットレートがビットレートＢからビットレートＡに変化する位置に同期確立用信号を挿入することを示している。このように、ビットレートが変化する位置に同期確立用信号を挿入することにより、ＯＮＵにおける同期確立をより正確に行うことができる。
【０１２０】
（付記１）複数の宛先へデータを伝送する光伝送装置であって、
第１のビットレートのデータにこのデータの宛先を識別する識別情報を含む前記第１のビットレートのヘッダを付加する第１付加手段と、
前記第１のビットレートより大きい第２のビットレートのデータにこのデータの宛先を識別する識別情報を含む前記第１のビットレートのヘッダを付加する第２付加手段と、
前記第１付加手段または前記第２付加手段によって前記第１のビットレートのヘッダが付加されたデータを送信する送信手段と
を有することを特徴とする光伝送装置。
【０１２１】
（付記２）前記第２のビットレートのデータに所定の周期で前記第１のビットレートの既知ビットパターンを挿入する挿入手段をさらに有することを特徴とする付記１記載の光伝送装置。
【０１２２】
（付記３）前記第２付加手段は、
前記第２のビットレートのデータにこのデータの宛先を一意に識別する識別情報を含む前記第２のビットレートの個別ヘッダを付加する個別ヘッダ付加手段と、
前記個別ヘッダ付加手段によってそれぞれ個別ヘッダが付加された複数のデータにこれらのデータが前記第２のビットレートのデータであることを示す共通ヘッダを付加する共通ヘッダ付加手段と
を含むことを特徴とする付記１記載の光伝送装置。
【０１２３】
（付記４）前記第２のビットレートのデータを前記第１のビットレートの整数倍の第３のビットレートのデータに変換する変換手段をさらに有し、
前記第２付加手段は、
前記第３のビットレートのデータにこのデータの宛先を識別する識別情報を含む前記第１のビットレートのヘッダを付加することを特徴とする付記１記載の光伝送装置。
【０１２４】
（付記５）前記第１付加手段は、
前記第１のビットレートのヘッダに前記第１のビットレートのデータの長さを示す情報を含め、
前記第２付加手段は、
前記第１のビットレートのヘッダに前記第２のビットレートのデータの長さを示す情報を含めることを特徴とする付記１記載の光伝送装置。
【０１２５】
（付記６）前記送信手段は、
前記第１付加手段によってヘッダが付加されたデータと前記第２付加手段によってヘッダが付加されたデータとを時分割多重してフレームを生成する生成手段を含むことを特徴とする付記１記載の光伝送装置。
【０１２６】
（付記７）前記生成手段は、
前記第１のビットレートのデータまたは前記第２のビットレートのデータのフレーム内での位置を示すフレームヘッダを先頭に含むフレームを生成することを特徴とする付記６記載の光伝送装置。
【０１２７】
（付記８）ビットレートが変化する境界に変化後のビットレートの同期確立用信号を配置する配置手段をさらに有することを特徴とする付記１記載の光伝送装置。
【０１２８】
（付記９）ビットレートが異なる複数のデータを含む信号を受信する光伝送装置であって、
受信信号からクロック信号を抽出するクロック信号抽出手段と、
前記クロック信号抽出手段によって抽出されたクロック信号を分周して前記複数のデータのビットレートのうち最小のビットレートに対応する低速クロック信号を得る分周手段と、
前記分周手段によって得られた低速クロック信号を用いて受信信号に含まれる最小のビットレートのヘッダを抽出するヘッダ抽出手段と、
前記ヘッダ抽出手段によって抽出されたヘッダを参照して自装置宛てのデータを取得する取得手段と
を有することを特徴とする光伝送装置。
【０１２９】
（付記１０）複数の宛先へデータを伝送する光伝送方法であって、
第１のビットレートのデータにこのデータの宛先を識別する識別情報を含む前記第１のビットレートのヘッダを付加する第１付加工程と、
前記第１のビットレートより大きい第２のビットレートのデータにこのデータの宛先を識別する識別情報を含む前記第１のビットレートのヘッダを付加する第２付加工程と、
前記第１付加工程または前記第２付加工程にて前記第１のビットレートのヘッダが付加されたデータを送信する送信工程と
を有することを特徴とする光伝送方法。
【０１３０】
（付記１１）ビットレートが異なる複数のデータを含む信号を受信する光伝送方法であって、
受信信号からクロック信号を抽出するクロック信号抽出工程と、
前記クロック信号抽出工程にて抽出されたクロック信号を分周して前記複数のデータのビットレートのうち最小のビットレートに対応する低速クロック信号を得る分周工程と、
前記分周工程にて得られた低速クロック信号を用いて受信信号に含まれる最小のビットレートのヘッダを抽出するヘッダ抽出工程と、
前記ヘッダ抽出工程にて抽出されたヘッダを参照してこのヘッダに対応するデータの宛先を識別する識別工程と
を有することを特徴とする光伝送方法。
【産業上の利用可能性】
【０１３１】
本発明は、受信側において確実に同期を確立するとともに受信品質の劣化を防止し、異なるビットレートの信号を混在させて伝送する場合に適用することができる。
【図面の簡単な説明】
【０１３２】
【図１】実施の形態１に係る光伝送システムの概略構成を示すブロック図である。
【図２】実施の形態１に係るＯＬＴの要部構成を示すブロック図である。
【図３】実施の形態１に係るＯＬＴの動作を示すフロー図である。
【図４】実施の形態１に係るデータフレームの構成を示す図である。
【図５】実施の形態１に係る伝送単位の具体例を示す図である。
【図６】実施の形態１に係る伝送単位の他の具体例を示す図である。
【図７】実施の形態１に係るＯＮＵの要部構成を示すブロック図である。
【図８】実施の形態２に係るＯＬＴの要部構成を示すブロック図である。
【図９】実施の形態２に係るデータフレームの構成を示す図である。
【図１０】実施の形態２に係るＯＮＵの要部構成を示すブロック図である。
【図１１】実施の形態３に係るＯＬＴの要部構成を示すブロック図である。
【図１２】実施の形態３に係るデータフレームの構成を示す図である。
【図１３】実施の形態３に係るデータフレームの具体例を示す図である。
【図１４】実施の形態３に係るデータフレームの他の具体例を示す図である。
【図１５】実施の形態３に係るＯＮＵの要部構成を示すブロック図である。
【図１６】実施の形態４に係るＯＬＴの要部構成を示すブロック図である。
【図１７】他の実施の形態に係るデータフレームの構成を示す図である。
【図１８】他の実施の形態に係るデータフレームの構成を示す図である。
【符号の説明】
【０１３３】
１０１  バッファ部
１０２  出力制御部
１０３、１４１  ビットレート指示部
１０４、１０５  ヘッダ付加部
１０６  時分割多重部
１０７  Ｅ／Ｏ変換部
１２１  同期保護パターン挿入部
１２２、１４４  フレーム生成部
１４２  個別ヘッダ付加部
１４３  共通ヘッダ付加部
１６１  速度変換部
３０１  Ｏ／Ｅ変換部
３０２  ＣＤＲ部
３０３  分周部
３０４、３４１  ヘッダ抽出部
３０５  ＩＤ識別部
３０６  データ取得部
３２１  フレーム同期部
３２２  同期保護パターン削除部
３４２  共通ＩＤ識別部
３４３  個別ＩＤ識別部
【図１】
2008263450.tif 000003
【図２】
2008263450.tif 000004
【図３】
2008263450.tif 000005
【図４】
2008263450.tif 000006
【図５】
2008263450.tif 000007
【図６】
2008263450.tif 000008
【図７】
2008263450.tif 000009
【図８】
2008263450.tif 000010
【図９】
2008263450.tif 000011
【図１０】
2008263450.tif 000012
【図１１】
2008263450.tif 000013
【図１２】
2008263450.tif 000014
【図１３】
2008263450.tif 000015
【図１４】
2008263450.tif 000016
【図１５】
2008263450.tif 000017
【図１６】
2008263450.tif 000018
【図１７】
2008263450.tif 000019
【図１８】
2008263450.tif 000020